(57)【要約】  コンテンツの流出経路の特定を良好に行い得るようにする。  コンテンツ受信部は、放送コンテンツや通信コンテンツを受信する。電子すかし情報取得部は、電子すかしを作成するための、コンテンツの流出経路を特定する情報を取得する。コンテンツ出力部は、受信されたコンテンツに、電子すかしを作成するための情報を使用して電子すかしを埋め込んで出力する。出力されるコンテンツに、そのコンテンツの流出経路を特定する情報を使用して電子すかしが埋め込まれるものであり、コンテンツが不正利用された場合、流通経路を特定することが可能となる。
2013140908.tif 000002
【特許請求の範囲】
【請求項１】
コンテンツを受信するコンテンツ受信部と、
電子すかしを作成するための、上記コンテンツの流出経路を特定する情報を取得する電子すかし情報取得部と、
上記受信されたコンテンツに、上記取得された情報を使用して電子すかしを埋め込んで出力するコンテンツ出力部とを備える
受信装置。
【請求項２】
上記コンテンツ受信部は、
デジタル放送システムおよび／またはネットワーク上の配信サーバから上記コンテンツを受信する
請求項１に記載の受信装置。
【請求項３】
上記電子すかしを作成するための情報には、
少なくとも、上記コンテンツの送信元を識別する情報と、自身の装置を識別する情報とが含まれている
請求項１に記載の受信装置。
【請求項４】
上記電子すかし情報取得部は、
上記受信されたコンテンツに上記電子すかしを作成するために使用すべき情報が付加されているとき、該情報をさらに取得する
請求項１に記載の受信装置。
【請求項５】
コンテンツを受信するステップと、
電子すかしを作成するための、上記コンテンツの流出経路を特定する情報を取得するステップと、
上記受信されたコンテンツに、上記取得された情報を使用して電子すかしを埋め込んで出力するステップを備える
受信方法。
【請求項６】
コンピュータを、
コンテンツを受信するコンテンツ受信手段と、
電子すかしを作成するための、上記コンテンツの流出経路を特定する情報を取得する電子すかし情報取得手段と、
上記復号化されたコンテンツに、上記取得された情報を使用して電子すかしを埋め込んで出力する出力手段と
して機能させるプログラム。
【請求項７】
暗号化されたコンテンツを受信するコンテンツ受信部と、
上記受信されたコンテンツを外部機器に送信し、該外部機器から復号化されたコンテンツを受信するインタフェース部と、
上記外部機器から受信されたコンテンツに、電子すかしを作成するための、上記コンテンツの流出経路を特定する情報を使用して電子すかしを埋め込んで出力するコンテンツ出力部とを備える
受信装置。
【請求項８】
上記コンテンツ出力部は、
上記外部機器から受信されたコンテンツに付加されている上記電子すかしを作成するための情報を使用する
請求項７に記載の受信装置。
【請求項９】
上記コンテンツ出力部は、
上記外部機器から受信されたコンテンツに電子すかしが既に埋め込まれていると判断するとき、上記外部機器から受信されたコンテンツに電子すかしの埋め込みを行わない
請求項７に記載の受信装置。
【請求項１０】
上記インタフェース部は、
上記外部機器から、該外部機器の機能情報をさらに受信し、
上記コンテンツ出力部は、
上記受信された機能情報に基づいて、上記外部機器から受信されたコンテンツに電子すかしが埋め込まれているか否かを判断する
請求項９に記載の受信装置。
【請求項１１】
上記電子すかしを作成するための情報には、
少なくとも、上記コンテンツの送信元を識別する情報と、自身の装置を識別する情報と、上記外部機器を識別する情報が含まれている
請求項７に記載の受信装置。
【請求項１２】
外部機器から暗号化されたコンテンツを受信し、該外部機器に復号化されたコンテンツを送信するインタフェース部と、
上記暗号化されたコンテンツに復号化処理を施して上記復号化されたコンテンツを取得する復号化部と、
上記送信されるコンテンツに、電子すかしを作成するための、上記コンテンツの流出経路を特定する情報を使用して電子すかしを埋め込む電子すかし埋め込み部とを備える
復号処理装置。
【請求項１３】
上記コンテンツは、フレーム間予測符号化されたフレーム毎のビデオデータを含み、
上記電子すかし埋め込み部は、
イントラフレームのビデオデータに電子すかしを埋め込む
請求項１２に記載の復号処理装置。
【請求項１４】
上記電子すかしを作成するための情報には、
少なくとも、上記コンテンツの送信元を識別する情報と、上記外部機器を識別する情報と、自身の装置を識別する情報とが含まれている
請求項１２に記載の復号処理装置。
【請求項１５】
外部機器から暗号化されたコンテンツを受信し、該外部機器に復号化されたコンテンツを送信するインタフェース部と、
上記暗号化されたコンテンツに復号化処理を施して上記復号化されたコンテンツを取得する復号化部と、
上記送信されるコンテンツに、電子すかしを作成するための、上記コンテンツの流出経路を特定する情報を付加する電子すかし情報付加部とを備える
復号処理装置。
【請求項１６】
上記電子すかしを作成するための情報には、
少なくとも、上記コンテンツの送信元を識別する情報と、上記外部機器を識別する情報と、自身の装置を識別する情報とが含まれている
請求項１５に記載の復号処理装置。
【請求項１７】
受信装置と復号処理装置とを備え、
上記受信装置は、
暗号化されたコンテンツを受信するコンテンツ受信部と、
上記受信されたコンテンツを上記復号処理装置に送信し、該復号処理装置から復号化されたコンテンツを受信するインタフェース部と、
上記復号処理装置から受信されたコンテンツに、該コンテンツに付加されている電子すかしを作成するための、上記コンテンツの流出経路を特定する情報を使用して、電子すかしを埋め込んで出力するコンテンツ出力部とを有し、
上記復号処理装置は、
上記受信装置から上記暗号化されたコンテンツを受信し、該受信装置に上記復号化されたコンテンツを送信するインタフェース部と、
上記暗号化されたコンテンツに復号化処理を施して上記復号化されたコンテンツを取得する復号化部と、
上記送信されるコンテンツに、上記電子すかしを作成するための情報を付加する電子すかし情報付加部とを有する
受信処理システム。
【請求項１８】
受信装置と復号処理装置とを備え、
上記受信装置は、
暗号化されたコンテンツを受信するコンテンツ受信部と、
上記受信されたコンテンツを上記復号処理装置に送信し、該復号処理装置から復号化されたコンテンツを受信するインタフェース部と、
上記受信されたコンテンツを出力するコンテンツ出力部とを有し、
上記復号処理装置は、
上記受信装置から上記暗号化されたコンテンツを受信し、該受信装置に上記復号化されたコンテンツを送信するインタフェース部と、
上記暗号化されたコンテンツに復号化処理を施して上記復号化されたコンテンツを取得する復号化部と、
上記送信されるコンテンツに、電子すかしを作成するための、該コンテンツの流出経路を特定する情報を使用して電子すかしを埋め込む電子すかし埋め込み部とを有する
受信処理システム。
【請求項１９】
コンテンツを取得するコンテンツ取得部と、
電子すかしを作成するための、上記コンテンツの流出経路を特定する情報を取得する電子すかし情報取得部と、
上記取得されたコンテンツに、上記取得された情報を使用して、電子すかしを埋め込んで出力するコンテンツ出力部とを備える
情報処理装置。
【発明の詳細な説明】
【技術分野】
【０００１】
本技術は、受信装置、受信方法、プログラム、復号処理装置、受信処理システムおよび情報処理装置に関し、特に、デジタル放送システムやネットワーク上の配信サーバなどからコンテンツを受信する受信装置等に関する。
【背景技術】
【０００２】
現在、ＤＶＢにおいて欧州を中心に運用されているＣＩ＋（シーアイプラス）の次世代規格が検討されている。従来のＣＩ＋は、ホスト（主にＴＶ）とＣＡＭ（conditional access module）間の相互認証および通信路保護を行って、放送コンテンツの不正な流出を防止するために使われる。次世代ＣＩ＋の規格策定が進められており、通信系コンテンツも保護対象のスコープとして検討されている。通信系コンテンツは、一般にＤＲＭ（Digital Rights Manegement）技術によって保護される。【０００３】
ＤＲＭ技術は、サーバとクライアント間の通信路について、コンテンツの盗聴（盗み取り）、改ざんなどの不正行為から保護することができる。一方、受信機から出力したコンテンツはＤＲＭで保護することができないため、出力後のコンテンツに対する不正コピーや改ざん検出の手段として、一般的に電子すかし技術が用いられる（例えば、特許文献１参照）。
【先行技術文献】
【特許文献】
【０００４】
【特許文献１】特開２００２−０８４５１０号公報
【発明の概要】
【発明が解決しようとする課題】
【０００５】
ここで挙げる不正利用から保護すべきコンテンツは、放送コンテンツと通信コンテンツの２種類がある。従来技術においては、両コンテンツとも配布元（放送設備、コンテンツサーバ）から受信機（ＴＶ）間の通信路をＣＡＳ／ＤＲＭ技術により保護することが可能である。一方、コンテンツが受信機から出力された後については、保護する機能がないため、ＴＶ画面をビデオカメラで撮影する、あるいは、コンテンツ保護技術を迂回する、などの不正な手段でコピーが作成されると、不正コピーの流出を止めることが困難であった。【０００６】
従来技術において、コンテンツに電子すかしを挿入する方法として、送出側で送出者ユニークＩＤを埋め込み、受信機側で受信機ユニークＩＤを埋めこむ方法が考えられる。不特定多数の受信機に同報配信する放送サービスにおいては、配布先の受信機を唯一に特定することは不可能なため、送出側で受信機ＩＤを埋めることはできない。【０００７】
また、受信機側で送出者ユニークＩＤを一元的に決めることは困難でもある。つまり、送出側と受信機側のそれぞれで２重に電子すかしを挿入することが考えられる。しかし、複数の放送局、通信プロバイダで全て同一の電子すかし技術に統一することは困難であること、電子すかしを重ねることによる画質や音質が劣化する、などの弊害が考えられる。【０００８】
本技術の目的は、コンテンツの流出経路の特定を良好に行い得るようにすることにある。
【課題を解決するための手段】
【０００９】
本技術の概念は、
コンテンツを受信するコンテンツ受信部と、
電子すかしを作成するための、上記コンテンツの流出経路を特定する情報を取得する電子すかし情報取得部と、
上記受信されたコンテンツに、上記取得された情報を使用して電子すかしを埋め込んで出力するコンテンツ出力部とを備える
受信装置にある。【００１０】
本技術において、コンテンツ受信部により、コンテンツが受信される。この場合、例えば、デジタル放送システムおよび／またはネットワーク上の配信サーバからコンテンツが受信される。電子すかし情報取得部により、電子すかしを作成するための、コンテンツの流出経路を特定する情報が取得される。この情報には、少なくとも、コンテンツの送信元を識別する情報と、自身の装置を識別する情報とが含まれる。そして、コンテンツ出力部により、受信されたコンテンツに、電子すかしを作成するための情報が使用されて、電子すかしが埋め込まれて出力される。【００１１】
このように本技術においては、出力されるコンテンツに、そのコンテンツの流出経路を特定する情報を使用して電子すかしが埋め込まれるものであり、コンテンツが不正利用された場合、流通経路を特定することが可能となる。また、コンテンツの不正流出を未然に防ぐ抑止力の効果も期待できる。【００１２】
なお、本技術において、例えば、電子すかし情報取得部は、受信されたコンテンツに電子すかしを作成するために使用すべき情報が付加されているとき、この情報をさらに取得する、ようにされてもよい。この場合、コンテンツの送信元で付加されたコンテンツの流出経路を特定するために有用な情報を使用してこのコンテンツに電子すかしを埋め込んで出力することが可能となる。【００１３】
また、本技術の他の概念は、
暗号化されたコンテンツを受信するコンテンツ受信部と、
上記受信されたコンテンツを外部機器に送信し、該外部機器から復号化されたコンテンツを受信するインタフェース部と、
上記外部機器から受信されたコンテンツに、電子すかしを作成するための、上記コンテンツの流出経路を特定する情報を使用して電子すかしを埋め込んで出力するコンテンツ出力部とを備える
受信装置にある。【００１４】
本技術において、コンテンツ受信部により暗号化されたコンテンツが受信される。インタフェース部により、受信されたコンテンツが外部機器に送信され、この外部機器から復号化されたコンテンツが受信される。そして、コンテンツ出力部により、外部機器から受信されたコンテンツに、電子すかしが埋め込まれて出力される。この場合、電子すかしを作成するための、コンテンツの流出経路を特定する情報が使用される。この場合、例えば、外部機器から受信されたコンテンツに付加されている電子すかしを作成するための情報が使用される。例えば、電子すかしを作成するための情報には、少なくとも、コンテンツの送信元を識別する情報と、自身の装置を識別する情報と、外部機器を識別する情報が含まれている。【００１５】
このように本技術において、出力されるコンテンツに、そのコンテンツの流出経路を特定する情報を使用して電子すかしが埋め込まれるものであり、コンテンツが不正利用された場合、流通経路を特定することが可能となる。また、コンテンツの不正流出を未然に防ぐ抑止力の効果も期待できる。【００１６】
なお、本技術において、例えば、コンテンツ出力部は、外部機器から受信されたコンテンツに電子すかしが既に埋め込まれていると判断するとき、外部機器から受信されたコンテンツに電子すかしの埋め込みを行わない、ようにされてもよい。この場合、インタフェース部は、外部機器から、この外部機器の機能情報をさらに受信し、コンテンツ出力部は、受信された機能情報に基づいて、外部機器から受信されたコンテンツに電子すかしが埋め込まれているか否かを判断する、ようにされてもよい。この場合、電子すかしを重ねることによる画質や音質の劣化を回避することができる。【００１７】
また、本技術の他の概念は、
外部機器から暗号化されたコンテンツを受信し、該外部機器に復号化されたコンテンツを送信するインタフェース部と、
上記暗号化されたコンテンツに復号化処理を施して上記復号化されたコンテンツを取得する復号化部と、
上記送信されるコンテンツに、電子すかしを作成するための、上記コンテンツの流出経路を特定する情報を使用して電子すかしを埋め込む電子すかし埋め込み部とを備える
復号処理装置にある。【００１８】
本技術において、インタフェース部により、外部機器から暗号化されたコンテンツが受信され、この外部機器に復号化されたコンテンツが送信される。復号化部により、暗号化されたコンテンツに復号化処理が施されて、復号化されたコンテンツが取得される。そして、電子すかし埋め込み部により、送信されるコンテンツに、電子すかしを作成するための、コンテンツの流出経路を特定する情報が使用されて電子すかしが埋め込まれる。例えば、電子すかしを作成するための情報には、少なくとも、コンテンツの送信元を識別する情報と、外部機器を識別する情報と、自身の装置を識別する情報とが含まれている。【００１９】
このように本技術において、流出経路を特定する情報を使用して電子すかしが埋め込まれたコンテンツを外部機器に送ることが可能となる。そのため、外部機器から流出経路を特定する情報を使用して電子すかしが埋め込まれたコンテンツを出力する際に、この外部機器ではコンテンツに電子すかしを埋め込む処理を実際に行う必要がなく、処理負荷の軽減が図られる。【００２０】
なお、本技術において、例えば、コンテンツは、フレーム間予測符号化されたフレーム毎のビデオデータを含み、電子すかし埋め込み部は、イントラフレームのビデオデータに電子すかしを埋め込む、ようにされてもよい。この場合、電子すかしの埋め込みのための処理負荷の軽減を図ることが可能となる。【００２１】
また、本技術の他の概念は、
外部機器から暗号化されたコンテンツを受信し、該外部機器に復号化されたコンテンツを送信するインタフェース部と、
上記暗号化されたコンテンツに復号化処理を施して上記復号化されたコンテンツを取得する復号化部と、
上記送信されるコンテンツに、電子すかしを作成するための、上記コンテンツの流出経路を特定する情報を付加する電子すかし情報付加部とを備える
復号処理装置にある。【００２２】
本技術において、インタフェース部により、外部機器から暗号化されたコンテンツが受信され、この外部機器に復号化されたコンテンツが送信される。復号化部により、暗号化されたコンテンツに復号化処理が施されて、復号化されたコンテンツが取得される。そして、情報付加部により、送信されるコンテンツに、電子すかしを作成するための、このコンテンツの流出経路を特定する情報が付加される。例えば、電子すかしを作成するための情報には、少なくとも、コンテンツの送信元を識別する情報と、外部機器を識別する情報と、自身の装置を識別する情報とが含まれている。【００２３】
このように本技術において、電子すかしを作成するための、流出経路を特定する情報が付加されたコンテンツを外部機器に送ることが可能となる。そのため、外部機器で流出経路を特定する情報を使用して電子すかしを埋め込んだコンテンツを出力する際に、この外部機器では流出経路を特定する情報を容易に取得でき、処理負荷の軽減が図られる。【００２４】
また、本技術の他の概念は、
受信装置と復号処理装置とを備え、
上記受信装置は、
暗号化されたコンテンツを受信するコンテンツ受信部と、
上記受信されたコンテンツを上記復号処理装置に送信し、該復号処理装置から復号化されたコンテンツを受信するインタフェース部と、
上記復号処理装置から受信されたコンテンツに、該コンテンツに付加されている電子すかしを作成するための、上記コンテンツの流出経路を特定する情報を使用して、電子すかしを埋め込んで出力するコンテンツ出力部とを有し、
上記復号処理装置は、
上記受信装置から上記暗号化されたコンテンツを受信し、該受信装置に上記復号化されたコンテンツを送信するインタフェース部と、
上記暗号化されたコンテンツに復号化処理を施して上記復号化されたコンテンツを取得する復号化部と、
上記送信されるコンテンツに、上記電子すかしを作成するための情報を付加する電子すかし情報付加部とを有する
受信処理システムにある。【００２５】
また、本技術の他の概念は、
受信装置と復号処理装置とを備え、
上記受信装置は、
暗号化されたコンテンツを受信するコンテンツ受信部と、
上記受信されたコンテンツを上記復号処理装置に送信し、該復号処理装置から復号化されたコンテンツを受信するインタフェース部と、
上記受信されたコンテンツを出力するコンテンツ出力部とを有し、
上記復号処理装置は、
上記受信装置から上記暗号化されたコンテンツを受信し、該受信装置に上記復号化されたコンテンツを送信するインタフェース部と、
上記暗号化されたコンテンツに復号化処理を施して上記復号化されたコンテンツを取得する復号化部と、
上記送信されるコンテンツに、電子すかしを作成するための、該コンテンツの流出経路を特定する情報を使用して電子すかしを埋め込む電子すかし埋め込み部とを有する
受信処理システムにある。【００２６】
また、本技術の他の概念は、
コンテンツを取得するコンテンツ取得部と、
電子すかしを作成するための、上記コンテンツの流出経路を特定する情報を取得する電子すかし情報取得部と、
上記取得されたコンテンツに、上記取得された情報を使用して、電子すかしを埋め込んで出力するコンテンツ出力部とを備える
情報処理装置にある。【００２７】
本技術において、コンテンツ取得部により、コンテンツが受信される。電子すかし情報取得部により、電子すかしを作成するための、コンテンツの流出経路を特定する情報が取得される。そして、コンテンツ出力部により、取得されたコンテンツに、電子すかしを作成するための情報が使用されて、電子すかしが埋め込まれる。このように本技術においては、出力されるコンテンツに、そのコンテンツの流出経路を特定する情報を使用して電子すかしが埋め込まれるものであり、コンテンツが不正利用された場合、流通経路を特定することが可能となる。また、コンテンツの不正流出を未然に防ぐ抑止力の効果も期待できる。
【発明の効果】
【００２８】
本技術によれば、コンテンツの流出経路の特定を良好に行うことができる。
【図面の簡単な説明】
【００２９】
【図１】実施の形態としてのコンテンツ送受信システムの構成例を示すブロック図である。
【図２】受信装置およびＣＡＭモジュールの構成例を示すブロック図である。
【図３】受信装置およびＣＡＭモジュールの構成例を示すブロック図である。
【図４】放送コンテンツを受信する場合における受信装置（Ｈｏｓｔ）およびＣＡＭモジュールの処理手順の一例を示すフローチャートである。
【図５】放送コンテンツを受信する場合における放送送出設備、受信装置（Ｈｏｓｔ）およびＣＡＭモジュールの動作例を示すシーケンス図である。
【図６】通信コンテンツを受信する場合における受信装置（Ｈｏｓｔ）およびＣＡＭモジュールの処理手順（受信装置のＡ／Ｖプレーヤがコントロール主体）の一例を示すフローチャートである。
【図７】通信コンテンツを受信する場合における放送送出設備、受信装置（Ｈｏｓｔ）およびＣＡＭモジュールの動作例を示すシーケンス図である。
【図８】通信コンテンツを受信する場合における受信装置（Ｈｏｓｔ）およびＣＡＭモジュールの処理手順（受信装置のＣＩ＋モジュールがコントロール主体）の一例を示すフローチャートである。
【図９】通信コンテンツを受信する場合における放送送出設備、受信装置（Ｈｏｓｔ）およびＣＡＭモジュールの動作例を示すシーケンス図である。
【図１０】通信コンテンツを受信する場合における受信装置（Ｈｏｓｔ）およびＣＡＭモジュールの処理手順（ＣＡＭモジュールのＤＲＭクライアントがコントロール主体）の一例を示すフローチャートである。
【図１１】通信コンテンツを受信する場合における放送送出設備、受信装置（Ｈｏｓｔ）およびＣＡＭモジュールの動作例を示すシーケンス図である。
【図１２】コンテンツ送受信システムの他の構成例を示すブロック図である。
【図１３】受信装置およびＣＡＭモジュールの他の構成例を示すブロック図である。
【図１４】受信装置およびＣＡＭモジュールの他の構成例を示すブロック図である。
【発明を実施するための形態】
【００３０】
以下、発明を実施するための形態（以下、「実施の形態」とする）について説明する。なお、説明を以下の順序で行う。
１．第１の実施の形態
２．変形例
【００３１】
＜１．実施の形態＞
［コンテンツ送受信システムの構成例］
図１は、実施の形態としてのコンテンツ送受信システム１０の構成例を示している。このコンテンツ送受信システム１０は、放送送出設備１１と、ネットワーク（通信網）１４に接続されたコンテンツ配信サーバ１２およびＤＲＭ（Digital Rights Management）サーバ１３とを有している。また、このコンテンツ送受信システム１０は、エッジルータ１５を経由して宅内ネットワーク（ＬＡＮ）に接続された受信装置１６と、この受信装置１６に接続されたＣＡＭ（Conditional Access Module）モジュール１７およびスマートカード１８とを有している。
【００３２】
放送送出設備１１は、Ａ／Ｖ（Audio/Visual）コンテンツおよびデータ放送などいわゆる放送ストリームを地上デジタル放送、ＢＳ（Broadcast Satellite）／ＣＳ（communication ssatellite）放送によって放送波として送出する。Ａ／Ｖコンテンツは、放送送出設備のＣＡＳ(Conditional Access System)システムによって暗号化され、放送送出設備１１と受信装置１６のＣＡＭモジュール１７との間の通信路における不正利用を防止する。ただし、必ずＣＡＳによる保護が必要とは限らない。
【００３３】
コンテンツ配信サーバ１２は、インターネットやＣＤＮ(Content Delivery Network)などのネットワーク１４上に配置される。上述した放送送出設備１１と同様に、Ａ／Ｖコンテンツや関連データなどが置かれ、ネットワーク１４を介して接続された受信装置１６にコンテンツを配信する。Ａ／Ｖコンテンツは、ＤＲＭ(Digital Rights Management)技術によって保護される。ただし、必ずＤＲＭによる保護が必要とは限らない。
【００３４】
ＤＲＭサーバ１３は、コンテンツ配信サーバ１２と同様に、インターネットやＣＤＮなどのネットワーク１４上に配置される。このＤＲＭサーバ１３は、ネットワーク１４を介して接続された受信装置１６に、コンテンツを復号するための復号鍵、利用条件などの関連データを配信する。
【００３５】
受信装置１６としては、例えば、テレビ受信機（ＴＶ）やセットトップボックス（ＳＴＢ）などが考えられる。この受信装置１６は、放送や通信からＡ／Ｖコンテンツを受信し、利用者に提示する機能を持つ。また、この受信装置１６は、Ａ／Ｖコンテンツに重畳されるデータ放送アプリケーションなどを提示する機能も持つ。
【００３６】
［受信装置およびＣＡＭモジュールの詳細構成例］
図２は、受信装置１６およびＣＡＭモジュール１７の詳細な構成例を示している。受信装置１６は、放送インタフェース（放送Ｉ／Ｆ）１０１と、ミドルウェア（Middle-ware）１０２と、通信インタフェース（通信Ｉ／Ｆ）１０３を有している。
【００３７】
また、受信装置１６は、アプリケーション（Application）１０４と、コモンインタフェース（Common Ｉ／Ｆ）１０５と、ＣＩ＋モジュール（ＣＩ＋module）１０６を有している。さらに、受信装置１６は、デマルチプレクサ（De-multiplexer）１０７と、デコーダ（Decoder）１０８と、Ａ／Ｖプレーヤ（A/V Players）１０９と、電子すかし生成器１１０を有している。
【００３８】
放送インタフェース１０１は、放送送出設備１１から送出される放送信号を取得する。ミドルウェア１０２は、放送インタフェース１０１で取得された放送信号を解析し、選局処理などの処理を行って、所望のコンテンツ（ＡＶストリーム）を得る。通信インタフェース１０３は、ネットワーク１４を介して、コンテンツ配信サーバ１２と通信を行って、コンテンツを取得する。また、通信インタフェース１０３は、ネットワーク１４を介して、ＤＲＭサーバ１３と通信を行って、ＤＲＭキーを取得する。
【００３９】
アプリケーション１０４は、受信装置１６の機能を制御するソフトウェアである。このアプリケーション１０４により、表示画面にアイコンが表示され、種々の設定、選択が可能とされる。コモンインタフェース１０５は、ＣＡＭモジュール１７との間で、コンテンツおよびコントロール信号の通信（送受信）を行う。ＣＩ＋モジュール１０６は、ＣＡＭモジュール１７との間で相互認証を行って通信路を保護する。
【００４０】
デマルチプレクサ１０７は、ＣＡＭモジュール１７で復号化された後の放送コンテンツからビデオ、オーディオ、字幕などの符号化ストリームを抽出する。デコーダ１０８は、デマルチプレクサ１０７で抽出されたビデオ、オーディオ、字幕などの符号化ストリームに対してデコード処理を行って、ビデオデータ、オーディオデータ、字幕データ等を得る。Ａ／Ｖプレーヤ１０９は、ＣＡＭモジュール１７で復号化された後の通信コンテンツからビデオ、オーディオ、字幕などの符号化ストリームを抽出し、さらに、デコード処理を行って、ビデオデータ、オーディオデータ、字幕データ等を得る。
【００４１】
電子すかし生成器１１０は、デコード後のデータ、例えばビデオデータに電子すかしを埋め込んで出力する。電子すかし生成器１１０は、電子すかしを作成するための情報を使用して電子すかしを埋め込む。この情報は、コンテンツの流出経路を特定する際に有益となる情報とされる。この情報には、例えば、コンテンツの送信元を識別する情報、自身の装置を識別する情報、ＣＡＭモジュール１７を識別する情報、現在時刻（コンテンツのデコード時刻）、その他コンテンツのレンダリングに関する情報などが含まれる。
【００４２】
コンテンツの送信元を識別する情報として、放送コンテンツの場合には、例えば「Network ID」、「Transport stream ID」、「Service ID」が使用され、通信コンテンツの場合には、例えば「contentserver ID」が使用される。また、自身の装置を識別する情報として、「Host ID」が使用され、ＣＡＭモジュール１７を識別する情報として、「CICAM ID」が使用される。
【００４３】
電子すかし生成器１１０は、ＣＡＭモジュール１７で既に電子すかしが埋め込まれている場合には、デコード後のデータに電子すかしを埋め込む処理を行うことなく、デコード後のデータをそのまま出力する。この場合、電子すかしを重ねることによる画質や音質の劣化を回避できる。電子すかし生成器１１０は、例えば、ＣＡＭモジュール１７から取得される機能情報に基づいて、デコード後のデータに電子すかしが埋め込まれているか否かを判断できる。
【００４４】
受信装置１６とＣＡＭモジュール１７は、ＣＩ＋で相互認証する際に、互いの公開鍵証明書を交換し、認証処理を行う。詳細説明は省略するが、この公開鍵証明書のフォーマットは、ＲＦＣ（Request for Comments）３２８０に規定されている。公開鍵証明書には拡張記述子を定義することが可能である。ここでは、例えば、以下の記述子が新たに定義される。この記述子を、ＣＩ＋プロトコル上で、受信装置１６とＣＡＭモジュール１７とが交換することで、互いの電子すかしの機能および有無を知ることができる。
【００４５】
Watermark Capability ::= SEQUENCE {
capability      INTEGER
}
【００４６】
【表１】
2013140908.tif 000003
【００４７】
「capability＝０」であるときは、「電子すかし機能なし」を示す。また、「capability＝１」であるときは、「Ｉフレーム（イントラフレーム）に電子すかしを埋め込む」ことを示す。また、「capability＝２」であるときは、「ＳＥＩ（Supplementenhancement information）に電子すかし情報を埋め込む」ことを示す。さらに、「capability＝３」であるときは、「ＭＰＥＧ２ＴＳのアダプテーションフィールド」に電子すかし情報を埋め込む」ことを示す。ここで、電子すかし情報は、上述した電子すかしを作成するための情報を意味する。
【００４８】
電子すかし生成器１１０は、例えば、ＣＡＭモジュール１７から送られてくる復号化後のコンテンツに電子すかしを作成するための情報が付加されているときは、その情報を使用できる。電子すかし生成器１１０は、例えば、ＣＡＭモジュール１７から取得される機能情報に基づいて、復号化後のコンテンツに電子すかしを作成するための情報が付加されているか否かを知ることができる（表１参照）。
【００４９】
電子すかしを作成するための情報をコンテンツから取り出して電子すかし生成器１１０に渡す方法は、この電子すかし情報が埋め込まれた（配置された）場所によって異なる。例えば、符号化方式がＨ．２６４／ＡＶＣ（ＩＳＯ／ＩＥＣ１４４９６−１０）でＳＥＩフィールドに埋め込まれている場合には、デマルチプレクサ１０７で抽出される。しかし、埋め込み位置が他のフィールドであれば別のモジュールが処理すると考えられる。ただし、これは一例であり、実際に処理するモジュールは実装により異なる。
【００５０】
また、電子すかし生成器１１０は、電子すかしを作成するための情報を独自に取得して使用することもできる。この場合、放送コンテンツあるいは通信コンテンツに送出側（サービス側）で予め電子すかしを作成するために使用すべき情報（コンテンツの流出経路を特定するために有用な情報）が付加されることも考えられる。この場合、例えば、符号化方式がＨ２６４／ＡＶＣであれば、送出側でＳＥＩフィールドに、サービサーが決めるデータを配置する方法などが考えられる。このような場合、電子すかし生成器１１０は、その情報を、電子すかしを作成するための情報としてさらに取得して用いる。この場合、コンテンツの送信元で付加されたコンテンツの流出経路を特定するために有用な情報を使用して電子すかしの埋め込みを行うことが可能となる。
【００５１】
電子すかしを作成するための情報（電子すかし情報）は、上述したように、符号化方式がＨ２６４／ＡＶＣであれば、ＳＥＩフィールドに付加される。この場合、例えば、以下に示すリザーブドＳＥＩメッセージ「reserved_sei_message」を利用できる。しかし、新たなＳＥＩメッセージを定義して、電子すかし情報を付加することも可能である。
【００５２】
reserved_sei_message (payloadSize) {  
for(i=0; i <payloadSize; i++)
reserved_sei_message payload_byte         b(8)
}
【００５３】
また、ＣＡＭモジュール１７は、コモンインタフェース（Common Ｉ／Ｆ）２０１と、ＣＩ＋モジュール（ＣＩ＋module）２０２と、ＣＡＳデクリプション（ＣＡＳ decryption）２０３と、ＤＲＭクライアント（ＤＲＭ client）２０４を有している。また、ＣＡＭモジュール１７は、電子すかし生成器２０５と、Iフレーム（Ｉ-Frame）検出器２０６を有している。
【００５４】
コモンインタフェース２０１は、受信装置１６との間で、コンテンツおよびコントロール信号の通信（送受信）を行う。ＣＩ＋モジュール２０２は、受信装置１６との間で相互認証を行って通信路を保護する。ＣＡＳデクリプション２０３は、受信装置１６から送られてくる暗号化されているコンテンツ（放送コンテンツ）を、視聴加入者情報、契約期間情報等が記録されているスマートカード１８を用いて復号化する。ＤＲＭクライアント２０４は、受信装置１６から送られてくる暗号化されているコンテンツ（通信コンテンツ）を復号化する。
【００５５】
電子すかし生成器２０５は、復号化されたコンテンツに電子すかしを埋め込む。ここで、コンテンツは例えばフレーム間予測符号化されたフレーム毎のビデオデータであり、Ｉフレーム検出器２０６は、Ｉフレーム（イントラフレーム）を検出する。電子すかし生成器２０５は、Ｉフレーム検出器２０６で検出されたIフレームのみに、電子すかしを埋め込む。この場合、電子すかし生成器２０５は、復号化されたコンテンツからＩフレームのみを抽出してデコード処理を行い、電子すかし情報をそのＩフレームに埋め込み、その後に再エンコードする。
【００５６】
このように、Ｉフレームのみをデコードする理由は、ＣＡＭモジュール１７が全フレームをデコードし、さらにエンコードする処理は負荷が重いためである。すなわち、Ｉフレームのみに選択的に電子すかしを埋め込むことで、電子すかしの埋め込みのための処理負荷の軽減を図ることが可能となる。ただし、ＣＡＭモジュール１７の性能が高く、全フレームへの電子すかしの埋め込みが可能であれば実行してもよい。
【００５７】
電子すかし生成器２０５は、上述の受信装置１６における電子すかし生成器１１０と同様に、電子すかしを作成するための情報を使用して電子すかしを埋め込む。電子すかし生成器２０５は、電子すかしを作成するための情報を取得して用いる。ここで、電子すかしを作成するための情報は、コンテンツの流出経路を特定する際に有益となる情報であり、例えば、コンテンツの送信元を識別する情報、受信装置１６を識別する情報、自身の装置を識別する情報、現在時刻（コンテンツのデコード時刻）、その他コンテンツのレンダリングに関する情報などが含まれる。
【００５８】
なお、放送コンテンツあるいは通信コンテンツに送出側（サービス側）で予め電子すかしを作成するために使用すべき情報（コンテンツの流出経路を特定するために有用な情報）が付加されることも考えられる。このような場合、電子すかし生成器２０５は、その情報を、電子すかしを作成するための情報としてさらに取得して用いる。この場合、コンテンツの送信元で付加されたコンテンツの流出経路を特定するために有用な情報を使用して電子すかしの埋め込みを行うことが可能となる。
【００５９】
図２に示すＣＡＭモジュール１７は、電子すかしの埋め込み機能を有するものである。この場合、受信装置１６から流出経路を特定する情報を使用して電子すかしが埋め込まれたコンテンツを出力する際に、この受信装置１６ではコンテンツに電子すかしを埋め込む処理を実際に行う必要がなく、処理負荷の軽減が図られる。
【００６０】
ここで、復号化されたコンテンツに電子すかしを作成するための情報（電子すかし情報）を埋め込むだけで、電子すかしの埋め込みを行わない例も考えられる。図３は、その場合における受信装置１６およびＣＡＭモジュール１７の詳細な構成例を示している。この図３において、図２と対応する部分には同一符号を付し、その詳細説明は省略する。
【００６１】
受信装置１６は、上述の図２における受信装置１６と同様に構成されている。また、ＣＡＭモジュール１７は、コモンインタフェース（Common Ｉ／Ｆ）２０１と、ＣＩ＋モジュール（ＣＩ＋module）２０２と、ＣＡＳデクリプション（ＣＡＳ decryption）２０３と、ＤＲＭクライアント（ＤＲＭ client）２０４と、電子すかし情報付加部２０７を有している。
【００６２】
電子すかし情報付加部２０７は、復号化されたコンテンツに、電子すかしを作成するための情報（電子すかし情報）を付加する。電子すかし情報付加部２０７は、電子すかしを作成するための情報を取得して用いる。ここで、電子すかしを作成するための情報は、コンテンツの流出経路を特定する際に有益となる情報であり、例えば、コンテンツの送信元を識別する情報、受信装置１６を識別する情報、自身の装置を識別する情報、現在時刻（コンテンツのデコード時刻）、その他コンテンツのレンダリングに関する情報などが含まれる。電子すかし情報付加部２０７は、電子すかし情報を、上述したように、例えば、ＳＥＩフィールドあるいはＭＰＥＧ２ＴＳのアダプテーションフィールドなどに埋め込む。
【００６３】
なお、放送コンテンツあるいは通信コンテンツに送出側（サービス側）で予め電子すかしを作成するために使用すべき情報（コンテンツの流出経路を特定するために有用な情報）が付加されることも考えられる。このような場合、電子すかし情報付加部２０７は、その情報を、電子すかしを作成するための情報としてさらに取得して用いる。この場合、コンテンツの送信元で付加されたコンテンツの流出経路を特定するために有用な情報を、電子すかしを作成するための情報としてさらに付加することが可能となる。
【００６４】
コンテンツの送信元を識別する情報として、放送コンテンツの場合には、例えば「Network ID」、「Transport stream ID」、「Service ID」が使用され、通信コンテンツの場合には、例えば「contentserver ID」が使用される。また、受信装置１６を識別する情報として、「Host ID」が使用され、自身の装置を識別する情報として、「CICAM ID」が使用される。図３に示すＣＡＭモジュール１７のその他は、詳細説明は省略するが、図２に示すＣＡＭモジュール１７と同様に構成されている。
【００６５】
この図３に示すＣＡＭモジュール１７では、電子すかしを作成するための、流出経路を特定する情報が付加されたコンテンツを受信装置１６に送ることが可能となる。そのため、受信装置１６で流出経路を特定する情報を使用して電子すかしを埋め込んだコンテンツを出力する際に、この受信装置１６では流出経路を特定する情報を容易に取得でき、処理負荷の軽減が図られる。
【００６６】
［コンテンツ送受信システムの動作例］
「動作例１」
図４のフローチャートは、放送コンテンツを受信する場合における受信装置（Ｈｏｓｔ）１６およびＣＡＭモジュール１７の処理手順の一例を示している。また、図５のシーケンス図は、その場合に対応した放送送出設備１１、受信装置（Ｈｏｓｔ）１６およびＣＡＭモジュール１７の動作例を示している。
【００６７】
受信装置（Ｈｏｓｔ）１６およびＣＡＭモジュール１７は、ステップＳＴ１において、処理を開始する。そして、ステップＳＴ２において、受信装置１６（ミドルウェア１０２）は、リモコンなどの選局処理により、選局操作を行う。そして、ステップＳＴ３において、受信装置１６は、放送送出設備１１から、選局したチャネルの番組を受信する。
【００６８】
次に、ステップＳＴ４において、受信装置１６は、ＣＡＭモジュール１７に、コンテンツの復号（ＣＡＳ）を要求する。次に、ステップＳＴ５において、ＣＡＭモジュール１６は、ＣＡＳデクリプション（ＣＡＳモジュール）２０２を使って、コンテンツを復号化する。次に、ＣＡＭモジュール１７は、ステップＳＴ６において、電子すかしを作成するための情報（電子すかし情報）を取得する。
【００６９】
次に、ＣＡＭモジュール１７は、ステップＳＴ７において、デコード処理が可能か否か、つまり電子すかしの埋め込みが可能か否かを判断する。ＣＡＭモジュール１７は、デコード処理が可能であるとき（図２のＣＡＭモジュール１７参照）、ステップＳＴ８の処理に移る。このステップＳＴ８において、ＣＡＭモジュール１７は、復号化されたコンテンツ（ＡＶストリーム）のＩフレーム（イントラフレーム）をデコードする。
【００７０】
次に、ＣＡＭモジュール１７は、ステップＳＴ９において、そのＩフレームに電子すかしを埋め込み、再エンコードする。次に、受信装置１６は、ステップＳＴ１０において、ＣＡＭモジュール１７で復号化されたコンテンツ（ＡＶストリーム）をデコードして出力する。そして、受信装置１６およびＣＡＭモジュール１７は、ステップＳＴ１１において、コンテンツ（ＡＶストリーム）の最後まで到達したか否かを判断する。コンテンツ（ＡＶストリーム）の最後まで到達していないとき、ステップＳＴ８の処理に戻って、上述したと同様の処理を繰り返す。一方、コンテンツ（ＡＶストリーム）の最後まで到達したときは、ステップＳＴ１２において、処理を終了する。
【００７１】
また、ステップＳＴ７でデコード処理が不可能であるとき（図３のＣＡＭモジュール１７参照）、ＣＡＭモジュール１７は、ステップＳＴ１３において、復号化されたコンテンツ（ＡＶストリーム）に電子すかし情報（電子すかしを作成するための情報）を付加する。そして、受信装置１６は、ステップＳＴ１４において、ＣＡＭモジュール１７で復号化されたコンテンツ（ＡＶストリーム）をデコードして出力する。この際、受信装置１６は、コンテンツに付加されている電子すかし情報を使用して、デコードされたコンテンツに電子すかしを埋め込む。
【００７２】
そして、受信装置１６およびＣＡＭモジュール１７は、ステップＳＴ１５において、コンテンツ（ＡＶストリーム）の最後まで到達したか否かを判断する。コンテンツ（ＡＶストリーム）の最後まで到達していないとき、ステップＳＴ１３の処理に戻って、上述したと同様の処理を繰り返す。一方、コンテンツ（ＡＶストリーム）の最後まで到達したときは、ステップＳＴ１２において、処理を終了する。
【００７３】
「動作例２」
図６のフローチャートは、通信コンテンツを受信する場合における受信装置（Ｈｏｓｔ）１６およびＣＡＭモジュール１７の処理手順の一例を示している。また、図７のシーケンス図は、その場合に対応した放送送出設備１１、受信装置（Ｈｏｓｔ）１６およびＣＡＭモジュール１７の動作例を示している。この例は、ＤＲＭキー（ＤＲＭ Key）およびコンテンツの取得を、受信装置１６のＡ／Ｖプレーヤ１０９がコントロールするものである。
【００７４】
受信装置（Ｈｏｓｔ）１６およびＣＡＭモジュール１７は、ステップＳＴ２１において、処理を開始する。次に、受信装置１６（Ａ／Ｖプレーヤ１０９）は、ステップＳＴ２２において、ＣＡＭモジュール１７にＤＲＭキーの取得を要求する。そして、ＣＡＭモジュール１７のＤＲＭクライアント（ＤＲＭモジュール）２０４とＤＲＭサーバ１３は、ステップＳＴ２３において、相互認証と鍵交換を行う。
【００７５】
次に、ＣＡＭモジュール１７のＤＲＭクライアント（ＤＲＭモジュール）２０４は、ステップＳＴ２４において、相互認証と鍵交換に成功したか否かを判断する。成功したとき、ＤＲＭクライアント（ＤＲＭモジュール）２０４は、ステップＳＴ２５において、ＤＲＭサーバ１３からＤＲＭキーを取得する。そして、ＤＲＭクライアント（ＤＲＭモジュール）２０４は、ステップＳＴ２６において、受信装置１６（Ａ／Ｖプレーヤ１０９）に、ＤＲＭキーの取得結果を返す。
【００７６】
次に、受信装置１６（Ａ／Ｖプレーヤ１０９）は、ステップＳＴ２７において、ＤＲＭキーの取得に成功したか否かを判断する。成功したとき、受信装置１６（Ａ／Ｖプレーヤ１０９）は、ステップＳＴ２８において、コンテンツ配信サーバ１２に、コンテンツを要求し、取得する。そして、受信装置１６（Ａ／Ｖプレーヤ１０９）は、ステップＳＴ２９において、ＣＡＭモジュール１７にコンテンツの復号化を要求する。
【００７７】
次に、ＣＡＭモジュール１７のＤＲＭクライアント（ＤＲＭモジュール）２０４は、ステップＳＴ３０において、ＤＲＭキーを使用して、コンテンツの復号化を行う。そして、ＣＡＭモジュール１７は、ステップＳＴ３１において、電子すかしを作成するための情報（電子すかし情報）を取得する。
【００７８】
次に、ＣＡＭモジュール１７は、ステップＳＴ３２において、デコード処理が可能か否か、つまり電子すかしの埋め込みが可能か否かを判断する。ＣＡＭモジュール１７は、デコード処理が可能であるとき（図２のＣＡＭモジュール１７参照）、ステップＳ３３の処理に移る。このステップＳＴ３３において、ＣＡＭモジュール１７は、復号化されたコンテンツ（ＡＶストリーム）のＩフレーム（イントラフレーム）をデコードする。そして、ＣＡＭモジュール１７は、ステップＳＴ３４において、そのＩフレームに電子すかしを埋め込み、再エンコードする。
【００７９】
次に、受信装置１６は、ステップＳＴ３５において、ＣＡＭモジュール１７で復号化されたコンテンツ（ＡＶストリーム）をデコードして出力する。この際、コンテンツにはＣＡＭモジュール１７で電子すかしが既に埋め込まれているので、受信装置１６では、電子すかしの埋め込みは行われない。
【００８０】
次に、受信装置１６およびＣＡＭモジュール１７は、ステップＳＴ３６において、コンテンツ（ＡＶストリーム）の最後まで到達したか否かを判断する。コンテンツ（ＡＶストリーム）の最後まで到達していないとき、ステップＳＴ３３の処理に戻って、上述したと同様の処理を繰り返す。一方、コンテンツ（ＡＶストリーム）の最後まで到達したときは、ステップＳＴ３７において、処理を終了する。
【００８１】
また、ステップＳＴ３２でデコード処理が不可能であるとき（図３のＣＡＭモジュール１７参照）、ＣＡＭモジュール１７は、ステップＳＴ３８において、復号化されたコンテンツ（ＡＶストリーム）に電子すかし情報（電子すかしを作成するための情報）を付加する。そして、受信装置１６は、ステップＳＴ３９において、ＣＡＭモジュール１７で復号化されたコンテンツ（ＡＶストリーム）をデコードして出力する。この際、受信装置１６は、コンテンツに付加されている電子すかし情報を使用して、デコードされたコンテンツに電子すかしを埋め込む。
【００８２】
そして、受信装置１６およびＣＡＭモジュール１７は、ステップＳＴ４０において、コンテンツ（ＡＶストリーム）の最後まで到達したか否かを判断する。コンテンツ（ＡＶストリーム）の最後まで到達していないとき、ステップＳＴ３８の処理に戻って、上述したと同様の処理を繰り返す。一方、コンテンツ（ＡＶストリーム）の最後まで到達したときは、受信装置１６およびＣＡＭモジュール１７は、ステップＳＴ３７において、処理を終了する。
【００８３】
また、ステップＳＴ２４で相互認証と鍵交換に成功しないとき、あるいはステップＳＴ２７でＤＲＭキーの取得に成功しないとき、受信装置１６（Ａ／Ｖプレーヤ１０９）は、ステップＳＴ４１において、エラー表示を行う。そして、受信装置１６およびＣＡＭモジュール１７は、ステップＳＴ３７において、処理を終了する。
【００８４】
「動作例３」
図８のフローチャートは、通信コンテンツを受信する場合における受信装置（Ｈｏｓｔ）１６およびＣＡＭモジュール１７の処理手順の一例を示している。また、図９のシーケンス図は、その場合に対応した放送送出設備１１、受信装置（Ｈｏｓｔ）１６およびＣＡＭモジュール１７の動作例を示している。この例は、ＤＲＭキー（ＤＲＭ Key）およびコンテンツの取得を、受信装置１６のＣＩ＋モジュール１０６がコントロールするものである。
【００８５】
受信装置（Ｈｏｓｔ）１６およびＣＡＭモジュール１７は、ステップＳＴ５１において、処理を開始する。次に、受信装置１６（Ａ／Ｖプレーヤ１０９）は、ステップＳＴ５２において、ＣＩ＋モジュール１０６に、コンテンツの取得を要求する。このＣＩ＋モジュール１０６は、ステップＳＴ５３において、ＣＡＭモジュール１７にＤＲＭキーの取得を要求する。そして、ＣＡＭモジュール１７のＤＲＭクライアント（ＤＲＭモジュール）２０４とＤＲＭサーバ１３は、ステップＳＴ５４において、相互認証と鍵交換を行う。
【００８６】
次に、ＣＡＭモジュール１７のＤＲＭクライアント（ＤＲＭモジュール）２０４は、ステップＳＴ５５において、相互認証と鍵交換に成功したか否かを判断する。成功したとき、ＤＲＭクライアント（ＤＲＭモジュール）２０４は、ステップＳＴ５６において、ＤＲＭサーバ１３からＤＲＭキーを取得する。そして、ＤＲＭクライアント（ＤＲＭモジュール）２０４は、ステップＳＴ５７において、受信装置１６（ＣＩ＋モジュール１０６）に、ＤＲＭキーの取得結果を返す。
【００８７】
次に、受信装置１６（ＣＩ＋モジュール１０６）は、ステップＳＴ５８において、ＤＲＭキーの取得に成功したか否かを判断する。成功したとき、受信装置１６（ＣＩ＋モジュール１０６）は、ステップＳＴ５９において、コンテンツ配信サーバ１２に、コンテンツを要求し、取得する。そして、受信装置１６（ＣＩ＋モジュール１０６）は、ステップＳＴ６０において、ＣＡＭモジュール１７にコンテンツの復号化を要求する。
【００８８】
次に、ＣＡＭモジュール１７のＤＲＭクライアント（ＤＲＭモジュール）２０４は、ステップＳＴ６１において、ＤＲＭキーを使用して、コンテンツの復号化を行う。そして、ＣＡＭモジュール１７は、ステップＳＴ６２において、電子すかしを作成するための情報（電子すかし情報）を取得する。
【００８９】
次に、ＣＡＭモジュール１７は、ステップＳＴ６３において、デコード処理が可能か否か、つまり電子すかしの埋め込みが可能か否かを判断する。ＣＡＭモジュール１７は、デコード処理が可能であるとき（図２のＣＡＭモジュール１７参照）、ステップＳ６４の処理に移る。このステップＳＴ６４において、ＣＡＭモジュール１７は、復号化されたコンテンツ（ＡＶストリーム）のＩフレームをデコードする。そして、ＣＡＭモジュール１７は、ステップＳＴ６５において、そのＩフレームに電子すかしを埋め込み、再エンコードする。
【００９０】
次に、受信装置１６は、ステップＳＴ６６において、ＣＡＭモジュール１７で復号化されたコンテンツ（ＡＶストリーム）をデコードして出力する。この際、コンテンツにはＣＡＭモジュール１７で電子すかしが既に埋め込まれているので、受信装置（Ｈｏｓｔ）１６では、電子すかしの埋め込みは行われない。
【００９１】
次に、受信装置１６およびＣＡＭモジュール１７は、ステップＳＴ６７において、コンテンツ（ＡＶストリーム）の最後まで到達したか否かを判断する。コンテンツ（ＡＶストリーム）の最後まで到達していないとき、ステップＳＴ６４の処理に戻って、上述したと同様の処理を繰り返す。一方、コンテンツ（ＡＶストリーム）の最後まで到達したときは、ステップＳＴ６８において、処理を終了する。
【００９２】
また、ステップＳＴ６３でデコード処理が不可能であるとき（図３のＣＡＭモジュール１７参照）、ＣＡＭモジュール１７は、ステップＳＴ６９において、復号化されたコンテンツ（ＡＶストリーム）に電子すかし情報（電子すかしを作成するための情報）を付加する。
【００９３】
次に、受信装置１６は、ステップＳＴ７０において、ＣＡＭモジュール１７で復号化されたコンテンツ（ＡＶストリーム）をデコードして出力する。この際、受信装置１６は、コンテンツに付加されている電子すかし情報を使用して、デコードされたコンテンツに電子すかしを埋め込む。
【００９４】
そして、受信装置１６およびＣＡＭモジュール１７は、ステップＳＴ７１において、コンテンツ（ＡＶストリーム）の最後まで到達したか否かを判断する。コンテンツ（ＡＶストリーム）の最後まで到達していないとき、ステップＳＴ６９の処理に戻って、上述したと同様の処理を繰り返す。一方、コンテンツ（ＡＶストリーム）の最後まで到達したときは、受信装置１６およびＣＡＭモジュール１７は、ステップＳＴ６８において、処理を終了する。
【００９５】
また、ステップＳＴ５５で相互認証と鍵交換に成功しないとき、あるいはステップＳＴ５８でＤＲＭキーの取得に成功しないとき、受信装置１６（ＣＩ＋モジュール１０６）は、ステップＳＴ７２において、エラー表示を行う。そして、受信装置１６およびＣＡＭモジュール１７は、ステップＳＴ６８において、処理を終了する。
【００９６】
「動作例４」
図１０のフローチャートは、通信コンテンツを受信する場合における受信装置１６ＡおよびＣＡＭモジュール１７Ａの処理手順の一例を示している。また、図１１のシーケンス図は、その場合に対応した放送送出設備１１、受信装置１６ＡおよびＣＡＭモジュール１７Ａの動作例を示している。この例は、ＤＲＭキー（ＤＲＭ Key）およびコンテンツの取得を、ＣＡＭモジュール１７がコントロールするものである。
【００９７】
図１２は、この例におけるコンテンツ送受信システム１０Ａの構成例を示している。この図１２において、図１と対応する部分には同一符号を付し、その詳細説明は省略する。受信装置１６Ａは、図１３、図１４に示すように、コンテンツ配信サーバ１２およびＤＲＭサーバ１３と通信を行う通信インタフェースがないことを除き、図１のコンテンツ送受信システム１０における受信装置１６（図２、図３参照）と同様に構成される。
【００９８】
また、ＣＡＭモジュール１７Ａは、図１３、図１４に示すように、コンテンツ配信サーバ１２およびＤＲＭサーバ１３と通信を行う通信インタフェース２０８があることを除き、図１のコンテンツ送受信システム１０におけるＣＡＭモジュール１７（図２、図３参照）と同様に構成される。
【００９９】
受信装置（Ｈｏｓｔ）１６ＡおよびＣＡＭモジュール１７Ａは、ステップＳＴ８１において、処理を開始する。次に、受信装置１６Ａ（Ａ／Ｖプレーヤ１０９）は、ステップＳＴ８２において、ＣＡＭモジュール１７Ａに、コンテンツの取得を要求する。次に、ＣＡＭモジュール１７ＡのＤＲＭクライアント（ＤＲＭモジュール）２０４とＤＲＭサーバ１３は、ステップＳＴ８３において、相互認証と鍵交換を行う。この場合、ＣＡＭモジュール１７ＡのＤＲＭクライアント（ＤＲＭモジュール）２０４は、通信インタフェース２０８により、ＤＲＭサーバ１３と直接通信を行う。
【０１００】
次に、ＣＡＭモジュール１７ＡのＤＲＭクライアント（ＤＲＭモジュール）２０４は、ステップＳＴ８４において、相互認証と鍵交換に成功したか否かを判断する。成功したとき、ＤＲＭクライアント（ＤＲＭモジュール）２０４は、ステップＳＴ８５において、ＤＲＭサーバ１３からＤＲＭキーを取得する。この場合も、ＤＲＭクライアント（ＤＲＭモジュール）２０４は、通信インタフェース２０８により、ＤＲＭサーバ１３と直接通信を行う。
【０１０１】
次に、ＣＡＭモジュール１７ＡのＤＲＭクライアント（ＤＲＭモジュール）２０４は、ステップＳＴ８６において、ＤＲＭキーの取得に成功したか否かを判断する。成功したとき、ＤＲＭクライアント（ＤＲＭモジュール）２０４は、ステップＳＴ８７において、コンテンツ配信サーバ１２に、コンテンツを要求し、取得する。この場合も、ＤＲＭクライアント（ＤＲＭモジュール）２０４は、通信インタフェース２０８により、ＤＲＭサーバ１３と直接通信を行う。
【０１０２】
次に、ＤＲＭクライアント（ＤＲＭモジュール）２０４は、ステップＳＴ８８において、ＤＲＭキーを使用して、コンテンツの復号化を行う。次に、ＣＡＭモジュール１７Ａは、ステップＳＴ８９において、電子すかしを作成するための情報（電子すかし情報）を取得する。
【０１０３】
次に、ＣＡＭモジュール１７Ａは、ステップＳＴ９０において、デコード処理が可能か否か、つまり電子すかしの埋め込みが可能か否かを判断する。ＣＡＭモジュール１７Ａは、デコード処理が可能であるとき（図１２のＣＡＭモジュール１７Ａ参照）、ステップＳ９１の処理に移る。このステップＳＴ９１において、ＣＡＭモジュール１７Ａは、復号化されたコンテンツ（ＡＶストリーム）のＩフレームをデコードする。そして、ＣＡＭモジュール１７Ａは、ステップＳＴ９２において、そのＩフレームに電子すかしを埋め込み、再エンコードする。
【０１０４】
次に、受信装置１６Ａは、ステップＳＴ９３において、ＣＡＭモジュール１７Ａで復号化されたコンテンツ（ＡＶストリーム）をデコードして出力する。この際、コンテンツにはＣＡＭモジュール１７で電子すかしが既に埋め込まれているので、受信装置１６Ａでは、電子すかしの埋め込みは行われない。
【０１０５】
次に、受信装置１６ＡおよびＣＡＭモジュール１７Ａは、ステップＳＴ９４において、コンテンツ（ＡＶストリーム）の最後まで到達したか否かを判断する。コンテンツ（ＡＶストリーム）の最後まで到達していないとき、ステップＳＴ９１の処理に戻って、上述したと同様の処理を繰り返す。一方、コンテンツ（ＡＶストリーム）の最後まで到達したときは、ステップＳＴ９５において、処理を終了する。
【０１０６】
また、ステップＳＴ９０でデコード処理が不可能であるとき（図１４のＣＡＭモジュール１７Ａ参照）、ＣＡＭモジュール１７Ａは、ステップＳＴ９６において、復号化されたコンテンツ（ＡＶストリーム）に電子すかし情報（電子すかしを作成するための情報）を付加する。
【０１０７】
次に、受信装置１６Ａは、ステップＳＴ９７において、ＣＡＭモジュール１７Ａで復号化されたコンテンツ（ＡＶストリーム）をデコードして出力する。この際、受信装置１６Ａは、コンテンツに付加されている電子すかし情報を使用して、デコードされたコンテンツに電子すかしを埋め込む。
【０１０８】
そして、受信装置１６ＡおよびＣＡＭモジュール１７Ａは、ステップＳＴ９８において、コンテンツ（ＡＶストリーム）の最後まで到達したか否かを判断する。コンテンツ（ＡＶストリーム）の最後まで到達していないとき、ステップＳＴ９６の処理に戻って、上述したと同様の処理を繰り返す。一方、コンテンツ（ＡＶストリーム）の最後まで到達したときは、受信装置１６ＡおよびＣＡＭモジュール１７Ａは、ステップＳＴ９５において、処理を終了する。
【０１０９】
また、ステップＳＴ８４で相互認証と鍵交換に成功しないとき、あるいはステップＳＴ８６でＤＲＭキーの取得に成功しないとき、受信装置１６（ＣＩ＋モジュール１０６）は、ステップＳＴ９９において、エラー表示を行う。そして、受信装置１６ＡおよびＣＡＭモジュール１７Ａは、ステップＳＴ９５において、処理を終了する。
【０１１０】
上述したように、図１、図１２に示すコンテンツ送受信システム１０，１０Ａにおいては、受信装置１６，１６Ａでデコードされて出力されるコンテンツに、そのコンテンツの流出経路を特定する情報が使用されて電子すかしが埋め込まれる。そのため、コンテンツが不正利用された場合、流通経路を特定することが可能となる。また、コンテンツの不正流出を未然に防ぐ抑止力の効果も期待できる。
【０１１１】
また、図１、図１２に示すコンテンツ送受信システム１０，１０Ａにおいては、放送と通信の両コンテンツに対して一元的に対応できる。また、図１、図１２に示すコンテンツ送受信システム１０，１０Ａにおいては、他のコンテンツ保護機能が集約されたＣＡＭモジュール１７，１７Ａ内部で電子すかし情報を扱うものであり、従来のコンテンツ保護の堅牢性を維持しながら、かつ新たな保護機能を実現できる。
【０１１２】
＜２．変形例＞
なお、上述実施の形態においては、受信装置１６，１６Ａにコモンインタフェースで接続されたＣＡＭモジュール１７，１７Ａにより放送コンテンツおよび通信コンテンツの復号化が行われるものである。しかし、本技術は、これら受信装置およびＣＡＭモジュールが一体化されたような受信装置にも、同様に適用できることは勿論である。
【０１１３】
また、上述実施の形態においては、ＣＡＭモジュール１７，１７Ａがコンテンツに電子すかし情報を付加する際に、ＳＥＩフィールドあるいはＭＰＥＧ２ＴＳのアダプテーションフィールドに埋め込むことを説明した。しかし、電子すかし情報を埋め込む個所は、これらに限定されるものではない。
【０１１４】
また、上述実施の形態においては、受信装置１６，１６Ａが、放送送出設備１１から放送コンテンツを受信すると共に、ネットワーク１４に接続されたコンテンツ配信サーバ１２から通信コンテンツを受信して処理をするものを示した。しかし、本技術は、放送コンテンツまたは通信コンテンツのいずれかを受信して処理する受信装置にも同様に適用できる。
【０１１５】
また、上述実施の形態においては、受信装置１６，１６Ａ、あるいはＣＡＭモジュール１７，１７Ａでコンテンツに電子すかしを埋め込むものである。しかし、放送送出設備１１あるいはコンテンツ配信サーバ１２でコンテンツに電子すかしを埋め込んで配信することも考えられる。例えば、コンテンツ配信サーバ１２が通信コンテンツに電子すかしを埋め込む場合には、受信装置の要求に応じてコンテンツを配信するものである。そのため、電子すかし情報として、送信元を識別する情報（「content server ID」など）の他に、受信装置やＣＡＭモジュールを識別する情報（「Host ID」、「CICAM ID」など）を含めることも容易に可能となる。
【０１１６】
また、本技術は、以下のような構成を取ることもできる。
（１）コンテンツを受信するコンテンツ受信部と、
電子すかしを作成するための、上記コンテンツの流出経路を特定する情報を取得する電子すかし情報取得部と、
上記受信されたコンテンツに、上記取得された情報を使用して電子すかしを埋め込んで出力するコンテンツ出力部とを備える
受信装置。
（２）上記コンテンツ受信部は、
デジタル放送システムおよび／またはネットワーク上の配信サーバから上記コンテンツを受信する
前記（１）に記載の受信装置。
（３）上記電子すかしを作成するための情報には、
少なくとも、上記コンテンツの送信元を識別する情報と、自身の装置を識別する情報とが含まれている
前記（１）または（２）に記載の受信装置。
（４）上記電子すかし情報取得部は、
上記受信されたコンテンツに上記電子すかしを作成するために使用すべき情報が付加されているとき、該情報をさらに取得する
前記（１）から（３）のいずれかに記載の受信装置。
（５）コンテンツを受信するステップと、
電子すかしを作成するための、上記コンテンツの流出経路を特定する情報を取得するステップと、
上記受信されたコンテンツに、上記取得された情報を使用して電子すかしを埋め込んで出力するステップを備える
受信方法。
（６）コンピュータを、
コンテンツを受信するコンテンツ受信手段と、
電子すかしを作成するための、上記コンテンツの流出経路を特定する情報を取得する電子すかし情報取得手段と、
上記復号化されたコンテンツに、上記取得された情報を使用して電子すかしを埋め込んで出力するコンテンツ出力手段と
して機能させるプログラム。
（７）暗号化されたコンテンツを受信するコンテンツ受信部と、
上記受信されたコンテンツを外部機器に送信し、該外部機器から復号化されたコンテンツを受信するインタフェース部と、
上記外部機器から受信されたコンテンツに、電子すかしを作成するための、上記コンテンツの流出経路を特定する情報を使用して電子すかしを埋め込んで出力するコンテンツ出力部とを備える
受信装置。
（８）上記コンテンツ出力部は、
上記外部機器から受信されたコンテンツに付加されている上記電子すかしを作成するための情報を使用する
前記（７）に記載の受信装置。
（９）上記コンテンツ出力部は、
上記外部機器から受信されたコンテンツに電子すかしが既に埋め込まれていると判断するとき、上記外部機器から受信されたコンテンツに電子すかしの埋め込みを行わない
前記（７）または（８）に記載の受信装置。
（１０）上記インタフェース部は、
上記外部機器から、該外部機器の機能情報をさらに受信し、
上記コンテンツ出力部は、
上記受信された機能情報に基づいて、上記外部機器から受信されたコンテンツに電子すかしが埋め込まれているか否かを判断する
前記（９）に記載の受信装置。
（１１）上記電子すかしを作成するための情報には、
少なくとも、上記コンテンツの送信元を識別する情報と、自身の装置を識別する情報と、上記外部機器を識別する情報が含まれている
前記（７）から（１０）のいずれかに記載の受信装置。
（１２）外部機器から暗号化されたコンテンツを受信し、該外部機器に復号化されたコンテンツを送信するインタフェース部と、
上記暗号化されたコンテンツに復号化処理を施して上記復号化されたコンテンツを取得する復号化部と、
上記送信されるコンテンツに、電子すかしを作成するための、上記コンテンツの流出経路を特定する情報を使用して電子すかしを埋め込む電子すかし埋め込み部とを備える
復号処理装置。
（１３）上記コンテンツは、フレーム間予測符号化されたフレーム毎のビデオデータを含み、
上記電子すかし埋め込み部は、
イントラフレームのビデオデータに電子すかしを埋め込む
前記（１２）に記載の復号処理装置。
（１４）上記電子すかしを作成するための情報には、
少なくとも、上記コンテンツの送信元を識別する情報と、上記外部機器を識別する情報と、自身の装置を識別する情報とが含まれている
前記（１２）または（１３）に記載の復号処理装置。
（１５）外部機器から暗号化されたコンテンツを受信し、該外部機器に復号化されたコンテンツを送信するインタフェース部と、
上記暗号化されたコンテンツに復号化処理を施して上記復号化されたコンテンツを取得する復号化部と、
上記送信されるコンテンツに、電子すかしを作成するための、上記コンテンツの流出経路を特定する情報を付加する電子すかし情報付加部とを備える
復号処理装置。
（１６）上記電子すかしを作成するための情報には、
少なくとも、上記コンテンツの送信元を識別する情報と、上記外部機器を識別する情報と、自身の装置を識別する情報とが含まれている
前記（１５）に記載の復号処理装置。
（１７）受信装置と復号処理装置とを備え、
上記受信装置は、
暗号化されたコンテンツを受信するコンテンツ受信部と、
上記受信されたコンテンツを上記復号処理装置に送信し、該復号処理装置から復号化されたコンテンツを受信するインタフェース部と、
上記復号処理装置から受信されたコンテンツに、該コンテンツに付加されている電子すかしを作成するための、上記コンテンツの流出経路を特定する情報を使用して、電子すかしを埋め込んで出力するコンテンツ出力部とを有し、
上記復号処理装置は、
上記受信装置から上記暗号化されたコンテンツを受信し、該受信装置に上記復号化されたコンテンツを送信するインタフェース部と、
上記暗号化されたコンテンツに復号化処理を施して上記復号化されたコンテンツを取得する復号化部と、
上記送信されるコンテンツに、上記電子すかしを作成するための情報を付加する電子すかし情報付加部とを有する
受信処理システム。
（１８）受信装置と復号処理装置とを備え、
上記受信装置は、
暗号化されたコンテンツを受信するコンテンツ受信部と、
上記受信されたコンテンツを上記復号処理装置に送信し、該復号処理装置から復号化されたコンテンツを受信するインタフェース部と、
上記受信されたコンテンツを出力するコンテンツ出力部とを有し、
上記復号処理装置は、
上記受信装置から上記暗号化されたコンテンツを受信し、該受信装置に上記復号化されたコンテンツを送信するインタフェース部と、
上記暗号化されたコンテンツに復号化処理を施して上記復号化されたコンテンツを取得する復号化部と、
上記送信されるコンテンツに、電子すかしを作成するための、該コンテンツの流出経路を特定する情報を使用して電子すかしを埋め込む電子すかし埋め込み部とを有する
受信処理システム。
（１９）コンテンツを取得するコンテンツ取得部と、
電子すかしを作成するための、上記コンテンツの流出経路を特定する情報を取得する電子すかし情報取得部と、
上記取得されたコンテンツに、上記取得された情報を使用して、電子すかしを埋め込んで出力するコンテンツ出力部とを備える
情報処理装置。
【符号の説明】
【０１１７】
１０，１０Ａ・・・コンテンツ送受信システム
１１・・・放送送出設備
１２・・・コンテンツ配信サーバ
１３・・・ＤＲＭサーバ
１４・・・ネットワーク
１５・・・エッジルータ
１６，１６Ａ・・・受信装置
１７，１７Ａ・・・ＣＡＭモジュール
１８・・・スマートカード
１０１・・・放送インタフェース
１０２・・・ミドルウェア
１０３・・・通信インタフェース
１０４・・・アプリケーション
１０５・・・コモンインタフェース
１０６・・・ＣＩ＋モジュール
１０７・・・デマルチプレクサ
１０８・・・デコーダ
１０９・・・Ａ／Ｖプレーヤ
１１０・・・電子すかし生成器
２０１・・・コモンインタフェース
２０２・・・ＣＩ＋モジュール
２０３・・・ＣＡＳデクリプション
２０４・・・ＤＲＭクライアント
２０５・・・電子すかし生成器
２０６・・・Ｉフレーム検出器
２０７・・・電子すかし情報付加部
２０８・・・通信インタフェース
【図１】
2013140908.tif 000004
【図２】
2013140908.tif 000005
【図３】
2013140908.tif 000006
【図４】
2013140908.tif 000007
【図５】
2013140908.tif 000008
【図６】
2013140908.tif 000009
【図７】
2013140908.tif 000010
【図８】
2013140908.tif 000011
【図９】
2013140908.tif 000012
【図１０】
2013140908.tif 000013
【図１１】
2013140908.tif 000014
【図１２】
2013140908.tif 000015
【図１３】
2013140908.tif 000016
【図１４】
2013140908.tif 000017
【国際調査報告】
2013140908.tif 000018
2013140908.tif 000019
2013140908.tif 000020
2013140908.tif 000021
2013140908.tif 000022
2013140908.tif 000023
2013140908.tif 000024
2013140908.tif 000025